(57)【要約】【課題】腋下の汗を吸収することにより、各肩バンドが汗で濡れてずれることを防止するとともに、両肩を背側に牽引する張力を適切に調節して、その張力を一定に保つことにより、両肩における各肩バンドの装着位置がずれることを防止することができる装着感が快適な姿勢矯正具。【解決手段】両肩に装着されることによって上半身の姿勢を矯正する姿勢矯正具１０であって、リング状に形成され両肩それぞれに装着される一対の肩バンド１と、この一対の肩バンド１を連結する連結バンド２とを備え、上記各肩バンド１には、それぞれ腋下の汗を吸収する汗取り用パッド３が縫着されている。【選択図】　　　図１
2004041499.tif 000002
【特許請求の範囲】
【請求項１】
両肩に装着されることによって上半身の姿勢を矯正する姿勢矯正具であって、
リング状に形成され両肩それぞれに装着される一対の肩バンドと、
この一対の肩バンドを連結する連結バンドとを備え、
上記各肩バンドには、それぞれ腋下の汗を吸収する汗取り用パッドが縫着されていることを特徴とする姿勢矯正具。
【請求項２】
上記肩バンドは、帯状の伸縮性部材で形成され、
上記連結バンドは、帯状の伸縮性部材で略Ｘ字状に形成されていることを特徴とする請求項１記載の姿勢矯正具。
【請求項３】
上記連結バンドは、帯状の伸縮性部材を二つ折りにしてＶ字状に形成した一対のＶ字状伸縮部と、一方のＶ字状伸縮部の折り返し部分に基端が縫着される帯状連結部と、他方のＶ字状伸縮部の折り返し部分および前記帯状連結部にそれぞれ設けられ、着脱自在に互いに係合する一対の留め具とを有していることを特徴とする請求項１または請求項２記載の姿勢矯正具。
【請求項４】
上記留め具の一方は、帯状連結部の長手方向に複数箇所設けられていることを特徴とする請求項３記載の姿勢矯正具。
【発明の詳細な説明】
【０００１】
【発明の属する技術分野】
本発明は、両肩に装着されることによって上半身の姿勢を矯正する姿勢矯正具に関するものである。
【０００２】
【従来の技術】
一般に、両肩に装着されることによって上半身の姿勢を矯正する姿勢矯正具としては、従来、リング状に形成され両肩それぞれに装着される一対の肩バンドと、この一対の肩バンドを連結する連結バンドとを備えた姿勢矯正具が提案されている。
【０００３】
例えば、実開平６−７４１１７号公報には、リング状に形成され両肩それぞれに装着される一対の肩バンドと、この一対の肩バンドを連結する連結バンドとからなる姿勢矯正ベルトにエアーバッグを設け、このエアーバッグの中の空気の量を調整することにより、姿勢矯正ベルトの張力を調整することができる姿勢矯正具の構成が開示されている。
【０００４】
【発明が解決しようとする課題】
しかしながら、上述の公報に開示された姿勢矯正具では、装着している間に腋下の汗で各肩バンドが濡れ、両肩における各肩バンドの装着位置がずれるなど、姿勢矯正具の使用に際して必ずしも装着感が快適なものではなかった。
【０００５】
また、姿勢矯正ベルトの張力を調整するに際して、姿勢矯正ベルトに設けられたエアーバッグの中の空気の量を調整していたので、長時間使用するとエアーバッグからの空気漏れなどが発生し、姿勢矯正ベルトが緩んで両肩における各肩バンドの装着位置がずれるなどの不具合があった。
【０００６】
本発明は上記不具合に鑑みてなされたものであり、腋下の汗を吸収することにより、各肩バンドが汗で濡れてずれることを防止するとともに、両肩を背側に牽引する張力を適切に調節して、その張力を一定に保つことにより両肩における各肩バンドの装着位置がずれることを防止することができる装着感が快適な姿勢矯正具を提供することを課題としている。
【０００７】
【課題を解決するための手段】
上記課題を解決するための本発明は、両肩に装着されることによって上半身の姿勢を矯正する姿勢矯正具であって、リング状に形成され両肩それぞれに装着される一対の肩バンドと、この一対の肩バンドを連結する連結バンドとを備え、
上記各肩バンドには、それぞれ腋下の汗を吸収する汗取り用パッドが縫着されていることを特徴とする姿勢矯正具である。
【０００８】
本発明によれば、リング状に形成され、両肩それぞれに装着される一対の肩バンドが両肩を保持するとともに、肩バンド同士を背側で連結する連結バンドが、肩バンドを介して両肩の位置を規制するので、背筋を伸ばして胸を張るような状態に姿勢を矯正することができる。
【０００９】
また、各肩バンドにそれぞれ縫着されている汗取り用パッドが、腋下の汗を吸収することにより、各肩バンドが汗で濡れてずれることを防止することができるので、姿勢矯正具の使用に際して快適な装着感が得られる。
【００１０】
本発明において、上記肩バンドは、帯状の伸縮性部材で形成され、上記連結バンドは、帯状の伸縮性部材で略Ｘ字状に形成されていることが好ましい。
【００１１】
この好ましい態様によれば、肩バンドと、連結バンドとが、それぞれ帯状の部材で形成されているので、両肩と背中に沿うように装着することができる結果、姿勢矯正具の上から衣服を着用してもかさばらず、自然な外観を保ちながら日常生活を過ごすことができる。
【００１２】
また、肩バンドと、連結バンドとが、それぞれ伸縮性部材で形成されているので、両肩を強く締付けすぎることがない結果、快適に姿勢を矯正することができる。
【００１３】
そして、連結バンドが、略Ｘ字状に形成されているので、両肩の周りにおいて、両方の肩バンドの位置が互いにずれることがない結果、安定した状態で姿勢を矯正することができる。
【００１４】
また、上記連結バンドは、帯状の伸縮性部材を二つ折りにしてＶ字状に形成した一対のＶ字状伸縮部と、一方のＶ字状伸縮部の折り返し部分に基端が縫着される帯状連結部と、他方のＶ字状伸縮部の折り返し部分および前記帯状連結部にそれぞれ設けられ、着脱自在に互いに係合する一対の留め具とを有していることが好ましい。
【００１５】
この好ましい態様によれば、一方のＶ字状伸縮部の折り返し部分に帯状連結部の基端が縫着され、この帯状連結部に設けられた留め具の一方と、他方のＶ字状伸縮部の折り返し部分に設けられた留め具の他方とが互いに着脱自在に係合することにより、背側において一方のＶ字状伸縮部と他方のＶ字状伸縮部との連結を着脱自在にすることができる結果、姿勢矯正具の両肩に対する着脱を容易に行うことができる。
【００１６】
さらに、上記留め具の一方は、帯状連結部の長手方向に複数箇所設けられていることが好ましい。
【００１７】
この好ましい態様によれば、互いに係合する留め具の一方が、帯状連結部の長手方向に複数箇所設けられているので、この一方の留め具を選択して両留め具を係合することにより、連結バンドが肩バンドを介して両肩を背側に牽引する張力を適切に調節することができる結果、体型が異なる場合でも同じ姿勢矯正具で対応することができる。
【００１８】
また、連結バンドが肩バンドを介して両肩を背側に牽引する張力を一定に保つことができるので、両肩における各肩バンドの装着位置がずれることを防止することができる結果、姿勢矯正具の使用に際して快適な装着感が得られる。
【００１９】
【発明の実施の形態】
以下、添付図面を参照しながら本発明の好ましい実施の一形態について詳述する。図１は本発明の実施の形態に係る姿勢矯正具１０の構成を示す斜視図であり、図２は本発明の実施の形態に係る姿勢矯正具１０の構成を示す分解斜視図である。
【００２０】
図１を参照して、図示の本発明の実施の形態に係る姿勢矯正具１０は、両肩に装着されることによって上半身の姿勢を矯正する姿勢矯正具１０であり、両肩それぞれに装着される一対の肩バンド１と、この一対の肩バンド１を連結する連結バンド２とを備えている。
【００２１】
上記各肩バンド１は、両肩を保持するために、リング状に形成され、また、両肩を強く締付けすぎることがないようにして快適に姿勢を矯正することができるようにするために、ゴムを織り込んだ綿素材など、伸縮性の部材で形成されている。
【００２２】
また、両肩に沿うように装着することができるようにして、姿勢矯正具１０の上から衣服を着用してもかさばらず、自然な外観を保ちながら日常生活を過ごすことができるようにするために、帯状の部材で形成されている。
【００２３】
そして、この各肩バンド１には、それぞれ腋下の汗を吸収する汗取り用パッド３が縫着されている。
【００２４】
この汗取り用パッド３は、腋下の汗を吸収することにより、各肩バンド１が汗で濡れてずれることを防止し、姿勢矯正具１０の使用に際して快適な装着感が得られるようにするために各肩バンド１の腋下に対応する位置に設けられたものである。図２にも示すように、この汗取り用パッド３は、楕円形に形成された伸縮性を有するニット織り綿素材を二つ折りにして構成され、肩バンド１に被せるようにして縫着されている。
【００２５】
そして、汗取り用パッド３を肩バンド１に縫着するに際しては、腋下に近い部分を厚く、下方の部分を薄くするように構成するために、腋下に接する内側の部分３ａが長く、外側の部分３ｂが若干短くなるように縫着される。
【００２６】
上記連結バンド２は、肩バンド１を介して両肩の位置を規制して使用者が背筋を伸ばして胸を張るような状態に姿勢を矯正するために、肩バンド１同士を背側で連結するものである。この連結バンド２は、両肩の周りにおいて、両方の肩バンド１の位置が互いにずれないように安定した状態で姿勢を矯正することができるようにするために、全体として略Ｘ字状に形成されている。そして、かさばらず、自然な外観を保ちながら日常生活を過ごすことができるようにするために、連結バンド２は、帯状の部材で形成され、背中に沿うように装着されるように構成されている。
【００２７】
また、この連結バンド２は、背側において姿勢矯正具１０の両肩に対する着脱を容易に行うことができるようにするために、一対のＶ字状伸縮部４ａ、４ｂと、一方のＶ字状伸縮部４ａの折り返し部分４ｃに基端５ｅが縫着される帯状連結部５と、この帯状連結部５および他方のＶ字状伸縮部４ｂの折り返し部分４ｄにそれぞれ設けられ、着脱自在に互いに係合する一対の留め具６ａ、６ｂとを有し、一方のＶ字状伸縮部４ａと他方のＶ字状伸縮部４ｂとの連結を着脱自在に構成している。
【００２８】
この一対のＶ字状伸縮部４ａ、４ｂは、帯状の伸縮性部材を二つ折りにしてＶ字状に形成したもので、肩バンド１と同様、両肩を強く締付けすぎることがないようにして快適に姿勢を矯正することができるようにするために、ゴムを織り込んだ綿素材など、伸縮性の部材で形成されており、Ｖ字状伸縮部４ａ、４ｂのそれぞれ２つの端部側４ｅは、肩バンド１の背中側の位置に縫着されている。
【００２９】
また、一方のＶ字状伸縮部４ｂの折り返し部分４ｄには、補強部７として引っ張りと摩擦に対する耐久性が高い素材のポリエステル繊維の略矩形の布素材が合わせ縫いされた上から留め具の一方６ｂが縫い付けられ、また、他方のＶ字状伸縮部４ａの折り返し部分４ｃには、帯状連結部５が縫い付けられる。
【００３０】
この帯状連結部５は、姿勢矯正具１０において張力が集中する箇所であることを考慮して、引っ張りと摩擦とに対する耐久性を有した略矩形の布素材、例えはポリエステル繊維が採用されている。そして、このポリエステル繊維の３枚の布片５ａ、５ｂ、５ｃを縫い合わせて１枚にしたものに通気性と汗の吸収性の良好な綿素材からなる吸湿部５ｄ（図１では布片５ａ、５ｂ、５ｃの裏側に位置する）を張り合わせて二重構造とし、この吸湿部５ｄが背中に対面するように構成されている。
【００３１】
また、留め具６ａ、６ｂは、一方のＶ字状伸縮部４ｂの折り返し部分４ｄと、他方のＶ字状伸縮部４ａの折り返し部分４ｃに縫い付けられた帯状連結部５との連結を着脱自在にするために設けられた金具であり、上記留め具６ａ、６ｂの一方６ａは、リング状に形成されて布片５ａ、５ｂ、５ｃのそれぞれに縫い付けられている。また、他方６ｂは、このリング状の金具からなる一方の留め具６ａに係止するために先端が折れ曲がった鉤状になっており、これら留め具６ａ、６ｂは、着脱自在に互いに係合するようになっている。
【００３２】
次に、図３と図４とを参照して、本発明の実施の形態に係る姿勢矯正具１０の作用について説明する。ここで、図３は本発明の実施の形態に係る姿勢矯正具１０の装着状態を示す使用者の背面図であり、図４は本発明の実施の形態に係る姿勢矯正具１０の装着状態を示す使用者の前面図である。
【００３３】
これらの図を参照して、本発明の実施の形態に係る姿勢矯正具１０は、図示のように、一対のリング状に形成された連結バンド２が肩バンド１を介して両肩それぞれに装着され、この一対の肩バンド１を連結する連結バンド２が肩バンド１を介して両肩を背側に牽引することにより上半身の姿勢を矯正する。
【００３４】
そして、連結バンド２が肩バンド１を介して両肩を背側に牽引する張力は、帯状連結部５の長手方向に複数箇所設けられた一方のリング状の留め具６ａを選択して、他方の鉤状の留め具６ｂを係合することにより、適切に調節され、また、一定に保たれる。
【００３５】
さらに、各肩バンド１には、それぞれ腋下の汗を吸収する汗取り用パッド３が縫着され、この汗取り用パッド３が、腋下の汗を吸収することにより、各肩バンド１が汗で濡れてずれることを防止するようになっている。
【００３６】
以上説明したように、本発明の実施の形態に係る姿勢矯正具１０によれば、リング状に形成され、両肩それぞれに装着される一対の肩バンド１が両肩を保持するとともに、肩バンド１同士を背側で連結する連結バンド２が、肩バンド１を介して両肩の位置を規制するので、背筋を伸ばして胸を張るような状態に姿勢を矯正することができる。
【００３７】
また、各肩バンド１にそれぞれ縫着されている汗取り用パッド３が、腋下の汗を吸収することにより、各肩バンド１が汗で濡れてずれることを防止することができるので、姿勢矯正具１０の使用に際して快適な装着感が得られる。
【００３８】
また、本発明の実施の形態に係る姿勢矯正具１０によれば、肩バンド１と、連結バンド２とが、それぞれ帯状の部材で形成されているので、両肩と背中に沿うように装着することができる結果、姿勢矯正具１０の上から衣服を着用してもかさばらず、自然な外観を保ちながら日常生活を過ごすことができる。
【００３９】
また、肩バンド１と、連結バンド２とが、それぞれ帯状の伸縮性部材で形成されているので、両肩を強く締付けすぎることがない結果、快適に姿勢を矯正することができる。
【００４０】
そして、連結バンド２が、略Ｘ字状に形成されているので、両肩の周りにおいて、両方の肩バンド１の位置が互いにずれることがない結果、安定した状態で姿勢を矯正することができる。
【００４１】
また、本発明の実施の形態に係る姿勢矯正具１０によれば、一方のＶ字状伸縮部４ａの折り返し部分４ｃに帯状連結部５の基端５ｅが縫着され、この帯状連結部５に設けられた留め具の一方６ａと、他方のＶ字状伸縮部４ｂの折り返し部分４ｄに設けられた留め具６ｂの他方とが互いに着脱自在に係合することにより、背側において一方のＶ字状伸縮部４ａと他方のＶ字状伸縮部４ｂとの連結を着脱自在にすることができる結果、姿勢矯正具１０の両肩に対する着脱を容易に行うことができる。
【００４２】
また、本発明の実施の形態に係る姿勢矯正具１０によれば、互いに係合する留め具６ａ、６ｂの一方６ａが、帯状連結部５の長手方向に複数箇所設けられているので、この一方の留め具６ａを選択して両留め具６ａ、６ｂを係合することにより、連結バンド２が肩バンド１を介して両肩を背側に牽引する張力を適切に調節することができる結果、体型が異なる場合でも同じ姿勢矯正具１０で対応することができる。
【００４３】
また、連結バンド２が肩バンド１を介して両肩を背側に牽引する張力を一定に保つことができるので、両肩における各肩バンド１の装着位置がずれることを防止することができる結果、姿勢矯正具１０の使用に際して快適な装着感が得られる。
【００４４】
上述した実施の形態は本発明の好ましい具体例を例示したものに過ぎず、本発明は上述した実施の形態に限定されない。
【００４５】
例えば、各肩バンド１と連結バンド２とは、必ずしも図示のようにゴムを織り込んだ綿素材に限定されない。両肩と背中とを強く締付けすぎることがないようにして快適に姿勢を矯正することができるものであれば、ゴムを織り込んだポリエステル素材なども採用可能である。
【００４６】
また、汗取り用パッド３も、楕円形に形成された伸縮性を有するニット織り綿素材を二つ折りにして、肩バンド１に被せるようにしたものが好ましいが、必ずしも図示の形状に限定されない。腋下に位置する箇所に縫着され、腋下の汗を吸収することにより、各肩バンド１が汗で濡れてずれることを防止し、姿勢矯正具１０の使用に際して快適な装着感が得られるようにすることかできるものであれば、その材料、形状、については、種々の設計変更が可能である。
【００４７】
帯状連結部５は、ポリエステル繊維の素材と、通気性と汗の吸収性の良好な綿素材を張り合わせた二重構造に限定されるものでなく、ナイロン繊維の素材と綿素材を張り合わせた二重構造など、その他種々の設計変更が可能である。
【００４８】
また、一対の留め具６ａ、６ｂは、必ずしも図示の形状のように、一方のリング状に形成されたものと他方の先端が折れ曲がった鉤状のものとの組み合わせに限定されない。一方のＶ字状伸縮部４と他方のＶ字状伸縮部４に設けられた帯状連結部５との連結を着脱自在に係止することが可能なものであれば、その他、公知となっている種々の係止手段が採用可能である。
【００４９】
その他、本発明の特許請求の範囲内で種々の設計変更が可能であることはいうまでもない。
【００５０】
【発明の効果】
以上説明したように、本発明によれば、腋下の汗を吸収することにより、各肩バンドが汗で濡れてずれることを防止するとともに、両肩を背側に牽引する張力を適切に調節して、その張力を一定に保つことにより両肩における各肩バンドの装着位置がずれることを防止することができる装着感が快適な姿勢矯正具を実現することができるという顕著な効果を奏する。
【図面の簡単な説明】
【図１】本発明の実施の形態に係る姿勢矯正具の構成を示す斜視図である。
【図２】本発明の実施の形態に係る姿勢矯正具の構成を示す分解斜視図である。
【図３】本発明の実施の形態に係る姿勢矯正具の装着状態を示す使用者の背面図である。
【図４】本発明の実施の形態に係る姿勢矯正具の装着状態を示す使用者の前面図である。
【符号の説明】
１　　　　　　肩バンド
２　　　　　　連結バンド
３　　　　　　汗取り用パッド
４ａ、４ｂ　　　　　　Ｖ字状伸縮部
４ｃ、４ｄ　　　　　　折り返し部分
５　　　　　　帯状連結部
５ｅ　　　　基端
６ａ、６ｂ　　　　　　留め具
１０　　　　姿勢矯正具
【図１】
2004041499.tif 000003
【図２】
2004041499.tif 000004
【図３】
2004041499.tif 000005
【図４】
2004041499.tif 000006